【手続補正書】
【提出日】平成17年10月13日(2005.10.13)
【手続補正１】
【補正対象書類名】特許請求の範囲
【補正対象項目名】全文
【補正方法】変更
【補正の内容】
【特許請求の範囲】
【請求項１】
空気調整システムによって閉空間に供給される空気を除湿するための装置であって、
ａ）内部を有するハウジングと、
ｂ）ハウジングの内部を、供給空気流を入れるための供給部分と、再生空気流を入れる再生部分とに分ける仕切りであって、供給部分が空気調整システムから供給空気を受け入れるための入口と、閉空間に空気を供給するための出口とを有し、再生部分が再生空気を受け入れるための入口と、再生空気を排出するための出口とを有する仕切りと、
ｃ）再生空気流を作るために空気の流れを再生部分と連通させるフアンと、
ｄ)回転可能な乾燥ホイールであって、そのホイールの一部が供給部分内に延び、ホイールの他の一部が再生部分内に延びるように配置され、それによってホイールが供給空気流と再生空気流とを介して回転し、供給空気流を除湿することができる乾燥ホイールと、
e)再生空気流を介して回転させるときに、乾燥ホイールを再生するのに必要なだけ再生空気流を加熱できる熱源と
を備えた装置。
【請求項２】
熱源が直火ガスバーナーである請求項１の装置。
【請求項３】
再生空気流の温度を規制するために、熱源を調節する機構を更に備えた請求項１の装置。
【請求項４】
乾燥ホイールを選択的に迂回することによって乾燥ホイールを通過する供給空気の量を制御するために、供給部分の入口と出口との間に迂回ダンパーを更に備えた請求項１の装置。
【請求項５】
乾燥ホイールを通過する供給空気の量を規制するために、迂回ダンパーを調節する機構を更に備えた請求項３の装置。
【請求項６】
乾燥ホイールが、空気調整システムによって処理される空気の流れの一部を扱える寸法である請求項１の装置。
【請求項７】
空気調整システムが、コンデンサを囲う区画室を備え、装置が、再生入口空気を、コンデンサを囲う区画室に接続するダクトまたは開口を更に備え、それによって再生入口空気をコンデンサで予熱できる請求項１の装置。
【請求項８】
供給空気流から除去された水分量または供給空気流に伝達される熱量を制御するために、乾燥ホイールの回転速度を変えるための機構を更に備えた請求項１の装置。
【請求項９】
閉空間に供給される空気を、パッケージ化された加熱、換気および空気調整（HVAC）ユニットによって除湿するための装置であって、
ａ）内部を有するハウジングと、
ｂ）ハウジングの内部を、供給空気流を入れるための供給部分と、再生空気流を入れる再生部分とに分ける仕切りであって、供給部分がHVACを出る空気を受け入れるための入口と、閉空間に空気を供給するための出口とを有し、再生部分が再生空気を受け入れるための入口と、再生空気を排出するための出口とを有する仕切りと、
ｃ）回転可能な乾燥ホイールであって、そのホイールの一部が供給部分内に延び、ホイールの他の一部が再生部分内に延びるように配置され、それによってホイールが供給空気流と再生空気流とを介して回転し、供給空気を除湿することができる回転可能な乾燥ホイールと
d) 供給空気流から除去される水分の量および/または供給空気流に伝達される熱量を制御するために乾燥ホイールの回転速度を変えるための機構と、
e) 乾燥ホイールを選択的に迂回することによって、乾燥ホイールを通過する供給空気の量を制御するための、供給部分の入口と出口との間の迂回ダンパーと、
ｆ）再生空気流を作るためのフアンと、
ｇ）再生空気流を介して回転させるときに乾燥ホイールを再生させるのに必要なだけ再生空気流を加熱するためのガスバーナーと
を備えた装置。
【請求項１０】
閉空間に供給される空気の温度と湿度を制御できるハイブリッド空気調整・除湿装置であって、
ａ）内部を有するハウジングと、
ｂ）ハウジングの内部を、供給空気流を入れるための供給部分と、再生空気流を入れる再生部分とに分ける仕切りであって、供給部分が空気を受け入れるための入口と、閉空間に空気を供給するための出口とを有し、再生部分が再生空気を受け入れるための入口と、再生空気を排出するための出口とを有する仕切りと、
c) 再生空気流を作るために空気の流れを再生部分と連通させるフアンと、
d) 供給空気流を作るために空気の流れを供給部分と連通させるもう一つのフアンと、
e)供給空気流中に配置された冷却コイルと、
f)冷却コイルの下流に配置された、回転可能な乾燥ホイールであって、そのホイールの一部が供給部分内に延び、ホイールの他の一部が再生部分内に延びるように配置され、それによってホイールが供給空気流と再生空気流とを介して回転し、空気流間で水分および／または熱を交換する回転可能な乾燥ホイールと、
g)再生空気流を介して回転させるときに、乾燥ホイールを再生するのに必要なだけ再生空気流を加熱できる熱源と
を備えた装置。
【請求項１１】
熱源が直火ガスバーナーである請求項１０の装置。
【請求項１２】
再生空気流の温度を規制するために熱源を調節するための機構を更に備えた請求項１０の装置。
【請求項１３】
乾燥ホイールを選択的に迂回することによって乾燥ホイールを通過する供給空気の量を制御するために供給部分の入口と出口間に迂回ダンパーを更に備えた請求項１０の装置。
【請求項１４】
乾燥ホイールを通過する供給空気の量を規制する迂回ダンパーの位置を調節するための機構を更に備えた請求項１３の装置。
【請求項１５】
乾燥ホイールが、装置によって処理される空気の流れの一部を扱える大きさである請求項１０の装置。
【請求項１６】
装置がコンデンサを囲う区画室を更に備え、装置がコンデンサを囲う区画室に再生入口空気を結合し、それによって再生入口空気をコンデンサによって予熱できるダクトまたは開口を更に備えた請求項１０の装置。
【請求項１７】
供給空気流から除去される水分の量または供給空気流に伝達される熱量を制御するために、乾燥ホイールの回転速度を変えるための機構を更に備えた請求項１０の装置。
【請求項１８】
閉空間に供給される空気の温度と湿度を制御できる、パッケージ化されたハイブリッド加熱、換気および空気調整（HVAC）および湿度制御装置であって、
ａ）内部を有するハウジングと、
ｂ）ハウジングの内部を、供給空気流を入れるための供給部分と、再生空気流を入れる再生部分とに分ける仕切りであって、供給部分が空気を受け入れるための入口と、閉空間に空気を供給するための出口とを有し、再生部分が再生空気を受け入れるための入口と、再生空気を排出するための出口とを有する仕切りと、
c) 再生空気流を作るために空気の流れを再生部分と連通させる再生フアンと、
d) 供給空気流を作るために空気の流れを供給部分と連通させる供給フアンと、
e)供給空気流中に配置された冷却コイルと、
f)回転可能な乾燥ホイールであって、そのホイールの一部が供給部分内に延び、ホイールの他の一部が再生部分内に延びるように配置された回転軸を有し、それによってホイールが供給空気流と再生空気流を介して回転し、供給空気流を除湿および／または加熱することができる回転可能な乾燥ホイールと、
g)供給空気流から除去される水分の量または供給空気流に伝達される熱量を制御するために、乾燥ホイールの回転速度を変えるための機構と、
h) 乾燥ホイールを選択的に迂回することによって乾燥ホイールを通過する供給空気の量を制御するための、供給部分の入口と出口間の迂回ダンパーと、
i)再生空気流を介して回転するときに、乾燥ホイールを再生させるのに必要なだけ再生空気流を加熱できるガス燃焼ヒータと
を備えた、パッケージ化された、ハイブリッド加熱、換気および空気調整（HVAC）および湿度制御装置。
【請求項１９】
閉空間の温度および湿度を制御する方法であって、
a)供給出口を有する空気調整システムを備え付ける工程と、
ｂ）１）内部を有するハウジングと、
２）ハウジングの内部を、供給空気流を入れるための供給部分と、再生空気流を入れる再生部分とに分ける仕切りであって、供給部分が空気調整システムから供給空気を受け入れるための入口と、閉空間に空気を供給するための出口とを有し、再生部分が再生空気を受け入れるための入口と、再生空気を排出するための出口とを有する仕切りと、
３）再生空気流を作るために空気の流れを再生部分と連通させるフアンと、
４）回転可能な乾燥ホイールであって、そのホイールの一部が供給部分内に延び、ホイールの他の一部が再生部分内に延びるように配置され、それによってホイールが供給空気流と再生空気流とを介して回転でき、供給空気流を除湿および／または加熱する乾燥ホイールと、
５)再生空気流を介して回転させるときに、乾燥ホイールを再生するのに必要なだけ再生空気流を加熱できる熱源と
を備えた能動的乾燥モジュールを備え付ける工程と、
c)能動的乾燥モジュールの供給入口を空気調整システムの供給出口に接続する工  程と、
d)能動的乾燥モジュールの供給出口を閉空間に接続する工程と、
e)供給空気流を空気調整システムに通過させることによって冷却および/または  除湿する工程と、
f)供給空気流と再生空気流との間で水分および/または熱を交換するために両空  気流を介してホイールを回転させる間、能動的乾燥モジュールを通過させるこ  とによって空気調整システムを通過させた後、供給空気を除湿および/または加熱する工程と、
g)能動的乾燥モジュールを出る供給空気を閉空間に供給する工程と
からなる閉空間の温度および湿度を制御する方法。
【請求項２０】
能動的乾燥モジュールが供給部分の入口と出口との間に迂回ダンパーを更に備え、供給空気流を除湿する工程が乾燥ホイールを選択的に迂回することによって除湿のレベルを制御する工程を更に備えてなる請求項１９の方法。
【請求項２１】
空気調整システムがコンデンサを囲む区画室を備え、方法がコンデンサを囲む区画室から再生入口空気を引き込むことによって該再生入口空気を予熱する工程を更に備えた請求項１９の方法。
【請求項２２】
供給空気流から除去される水分の量および/または供給空気流に伝達される熱量を制御するために乾燥ホイールの回転速度を変更する工程を更に備えた請求項１９の方法。
【請求項２３】
閉空間の温度および湿度を制御する方法であって、
a)供給出口を有するパッケージ化された、加熱、換気および空気調整（HVAC）ユニットを備え付ける工程と、
b)１）内部を有するハウジングと、
２）ハウジングの内部を、供給空気流を入れるための供給部分と、再生空気流を入れる再生部分とに分ける仕切りであって、供給部分がHVACを離れる空気を受け入れるための入口と、閉空間に空気を供給するための出口とを有し、再生部分が再生空気を受け入れるための入口と、再生空気を排出するための出口とを有する仕切りと、
３）回転可能な乾燥ホイールであって、そのホイールの一部が供給部分内に延び、ホイールの他の一部が再生部分内に延びるように配置され、それによってホイールが供給空気流と再生空気流とを介して回転し、供給空気を除湿することができる回転可能な乾燥ホイールと、
４)乾燥ホイールの回転速度を変更するための機構と、
５)乾燥ホイールを通過する供給空気の量を制御するための供給部分の入口と出口との間の迂回ダンパーと、
６）再生空気流を作るためのフアンと、
７）再生空気流を介して回転するときに乾燥ホイールを再生させるのに必要なだけ再生空気流を加熱するためのガスバーナーと
を備えた能動的乾燥モジュールを備え付ける工程と、
ｃ）能動的乾燥モジュールの供給入口をHVACユニットの供給出口に接続する工程と、
d)能動的乾燥モジュールの供給出口を閉空間に接続する工程と、
e)供給空気流をHVACユニットに通過させる工程と、
f)供給空気流と再生空気流との間で水分および/または熱を交換するために両空気流を介してホイールを回転させることによってHVACユニットを通過させた後、供給空気を除湿および/または加熱する工程と、
g)乾燥ホイールを選択的に迂回させることによって供給空気の除湿を制御する工程と、
h)供給空気流から除去される水分の量および/または供給空気流に伝達される熱量を制御するために乾燥ホイールの回転速度を変更する工程と、
i)能動的乾燥モジュールを出る空気を閉空間に供給する工程と
を備えた閉空間の温度および湿度を制御する方法。
【請求項２４】
閉空間の温度および湿度を制御する方法であって、
a)１）内部を有するハウジングと、
２）ハウジングの内部を、供給空気流を入れるための供給部分と、再生空気流を入れる再生部分とに分ける仕切りであって、供給部分が空気を受け入れるための入口と、閉空間に空気を供給するための出口とを有し、再生部分が再生空気を受け入れるための入口と、再生空気を排出するための出口とを有する仕切りと、
３) 再生空気流を作るために空気の流れを再生部分と接続させるフアンと、
４) 供給空気流を作るために空気の流れを供給部分と接続させるもう一つのフアンと、
５)供給空気流中に配置された冷却コイルと、
６)冷却コイルの下流に配置され、回転可能な乾燥ホイールであって、そのホイールの一部が供給部分内に延び、ホイールの他の一部が再生部分内に延びるように配置され、それによってホイールが供給空気流と再生空気流とを介して回転でき、両空気流間の湿度および／または熱を交換する乾燥ホイールと、
７）再生空気流を介して回転するときに、乾燥ホイールを再生するのに必要なだけ再生空気流を加熱できる熱源と
を備えたハイブリッド空気調整・除湿装置を備え付ける工程と、
b)冷却ユニットを通過させることによって供給空気流を冷却および/または除湿する工程と、
ｃ）供給空気流と再生空気流との間で水分および/または熱を交換するために両空気流を介してホイールを回転させることによって冷却コイルを通過させた後、供給空気を除湿および/または加熱する工程と、
d)能動的乾燥モジュールを出る供給空気を閉空間に供給する工程と
を備えた閉空間の温度および湿度を制御する方法。
【請求項２５】
装置が供給部分の入口および出口の間の迂回ダンパーを更に備え、供給空気流を除湿する工程が乾燥ホイールを選択的に迂回させることによって除湿のレベルを制御する工程を更に備えた請求項２４の方法。
【請求項２６】
供給空気流から除去される水分の量および/または供給空気流に伝達される熱の量を制御するために乾燥ホイールの回転速度を変更する工程を更に備えた請求項２４の方法。
【請求項２７】
ハイブリッド空気調整・除湿装置が、コンデンサを囲む区画室を更に備え、方法が、コンデンサを囲む区画室から引き込むことによって再生入口空気を予熱する工程を更に備えた請求項２４の方法。
【請求項２８】
閉空間の温度および湿度を制御する方法であって、
a)１）内部を有するハウジングと、
２）ハウジングの内部を、供給空気流を入れるための供給部分と、再生空気流を入れる再生部分とに分ける仕切りであって、供給部分が空気を受け入れるための入口と、閉空間に空気を供給するための出口とを有し、再生部分が再生空気を受け入れるための入口と、再生空気を排出するための出口とを有する仕切りと、
３) 再生空気流を作るために空気の流れを再生部分と接続させる再生フアンと、
４) 供給空気流を作るために空気の流れを供給部分と接続させる供給フアンと、
５)供給空気流中に配置された冷却コイルと、
６)回転可能な乾燥ホイールであって、そのホイールの一部が供給部分内に延び、ホイールの他の一部が再生部分内に延びるように配置された回転軸を有し、それによってホイールが供給空気流と再生空気流だけに回転し、供給空気流を除湿することができる回転可能な乾燥ホイールと、
７)乾燥ホイールを複数の速度で回転させるための機構と、
８) 乾燥ホイールを選択的に迂回することによって乾燥ホイールを通過する供給空気の量を制御するための、供給部分の入口と出口間の迂回ダンパーと、
９)再生空気流にだけ回転するときに、乾燥ホイールを再生させるのに必要なだけの再生空気流を加熱できるガス燃焼ヒータと
を備えたハイブリッド加熱、換気および空気調整（HVAC）および除湿装置を備え付ける工程と、
b)冷却コイルを通過させることによって供給空気流を冷却および/または除湿する工程と、
ｃ）供給空気流と再生空気流との間で水分および/または熱を交換するために両空気流を介してホイールを回転させる間、能動的乾燥モジュールを通過させることによって冷却コイルを通過させた後、供給空気を除湿および/または加熱する工程と、
d)乾燥ホイールを選択的に迂回させることによって除湿の程度を制御する工程と、
e)乾燥ホイールの回転速度を調整することによって供給空気流に伝達される湿度の量および/または熱量を制御する工程と、
ｆ)能動的乾燥モジュールを出る供給空気を閉空間に供給する工程と
を備えた閉空間の温度および湿度を制御する方法。